(57)【要約】【課題】外力に対する表示部の保護機能を向上させる。【解決手段】メインフレーム２０１に表示パネル１０６を保持する壁部２０１Ａ，２０１Ｂを形成するとともに、壁部２０１Ａ，２０１Ｂの上面に保護パネル１１２と当接可能な第１の部分と、保護パネル１１２と介することなく後カバー１０５と直接当接可能な第２の部分とを形成する。【選択図】図８
2011022382.tif 000002
【特許請求の範囲】
【請求項１】
表示装置と、
前記表示装置を保持する保持部材と、
前記表示装置および前記保持部材を覆う外装部材と、
前記外装部材に固定され、前記表示装置の表示面を保護する保護部材とを有し、
前記保持部材に前記表示装置を保持する壁部を形成するとともに、前記壁部の上面に前記保護部材と当接可能な第１の部分と、前記保護部材と介することなく前記外装部材と直接当接可能な第２の部分とを形成することを特徴とする電子機器。
【請求項２】
前記保護部材には前記第２の部分に対応する部分に切欠き部が形成されることを特徴とする請求項１に記載の電子機器。
【請求項３】
前記壁部は互いに向かい合う位置にそれぞれ設けられ、向かい合う位置に設けられる前記壁部に形成される前記第２の部分によって前記保護部材を挟持することを特徴とする請求項１または２に記載の電子機器。
【請求項４】
前記第２の部分は前記保護部材に向けて折り曲げられることを特徴とする請求項３に記載の電子機器。
【発明の詳細な説明】
【技術分野】
【０００１】
本発明は、表示部を保持する電子カメラ等の電子機器に関する。
【背景技術】
【０００２】
近年、デジタルカメラでは、撮影された画像の確認や撮影条件等の各種情報を表示する表示部の大型化やカメラ本体の薄型化が図られている。この表示部は、一般に液晶ディスプレイ、有機ＥＬディスプレイ等のフラットパネルにより構成され、その外表面には、表示素子等を保護するための保護パネルが配されている。
【０００３】
この保護パネルは、表示部を大型化した場合、それに伴って大きくなり、保護パネルの近傍の外装フレームの剛性、更には耐外圧性が低下する。また  カメラ本体の薄型化に伴い、外装フレームと表示部の間隙も小さくなるので、この点でも耐外圧性が低下する。
【０００４】
この問題に対処するため、表示部の保持機構として種々の技術が提案されている（特許文献１参照）。この特許文献１では、表示部を保持する保持フレームの壁を表示部の高さよりも僅かに高くし、更に保持フレームの壁の先端を外装フレームの内側に近接させている。
【先行技術文献】
【特許文献】
【０００５】
【特許文献１】特開２００６−２５１２４１号公報
【発明の概要】
【発明が解決しようとする課題】
【０００６】
上記の特許文献１では、外装フレームの表示部の近傍に外力が印加された場合は、表示部の破損のリスクを低減できる。しかしながら、表示部の真上に配設されている保護カバーに外力が印加された場合は、その外力が保護カバーを介して表示部に伝わり、表示部が破損してしまう可能性が依然として高かった。
【０００７】
本発明は、このような技術的な背景の下になされたもので、その目的は、外力に対する表示部の保護機能を向上させるとことにある。
【課題を解決するための手段】
【０００８】
上記目的を達成するため、本発明の電子機器は、表示装置と、前記表示装置を保持する保持部材と、前記表示装置および前記保持部材を覆う外装部材と、前記外装部材に固定され、前記表示装置の表示面を保護する保護部材とを有し、前記保持部材に前記表示装置を保持する壁部を形成するとともに、前記壁部の上面に前記保護部材と当接可能な第１の部分と、前記保護部材を介することなく前記外装部材と直接当接可能な第２の部分とを形成することを特徴とする。
【発明の効果】
【０００９】
本発明によれば、外装部材に外力が与えられた場合あるいは保護部材に外力が与えられた場合の両方の場合において、その外力を保持部材で支えることができ、外力による表示装置の破損を防止することが可能となる。
【図面の簡単な説明】
【００１０】
【図１】図１（Ａ）は、本発明を適用したデジタルカメラの正面斜視図である。図１（Ｂ）は、上記デジタルカメラの背面斜視図である。
【図２】上記デジタルカメラの分解斜視図である。
【図３】上記デジタルカメラの保持フレームの斜視図である。
【図４】上記デジタルカメラの内部構造体の背面図である。
【図５】図５（Ａ）は、上記デジタルカメラの内部構造体の底面斜視図である。図５（Ｂ）は、図５（Ａ）におけるＦ１部の詳細図である。
【図６】図６（Ａ）は、上記デジタルカメラの内部構造体の上面斜視図である。図６（Ｂ）は、図６（Ａ）におけるＦ２部の詳細図である。
【図７】図７（Ａ）は、図４におけるＸ−Ｘ断面図である。図７（Ｂ）は、図７（Ａ）におけるＦ３部の詳細図である。
【図８】図８（Ａ）は、図４におけるＹ−Ｙ断面図である。図８（Ｂ）は、図８（Ａ）におけるＦ４部の詳細図である。図８（Ｃ）は、図８（Ａ）におけるＦ５部の詳細図である。
【図９】図８（Ａ）におけるＦ４部の詳細図である（第２の実施の形態）。
【発明を実施するための形態】
【００１１】
以下、本発明を実施するための形態を図面に基づいて説明する。
【００１２】
［第１の実施の形態］
図１（Ａ）、図１（Ｂ）に示した電子機器としてのデジタルカメラ１００において、１０１は鏡筒、１０２は前カバー、１０３は閃光窓、１０４はＡＦ補助光窓、１０５は外装部材としての後カバーである。鏡筒１０１には、フォーカスレンズ、ズームレンズ等の撮影光学系のデバイスが収納されている。閃光窓１０３は、本露光時にストロボ光等の閃光を被写体に向けて照射するために設けられ、ＡＦ補助光窓１０４は、オートフォーカス制御の際にＡＦ補助光を被写体に向けて照射するために設けられている。
【００１３】
１０６は表示装置としての表示パネルである。表示パネル１０６には、撮影画像、再生画像の他、撮影条件などの各種情報も表示される。この表示パネル１０６は、液晶ディスプレイ、プラズマディスプレイ、有機ＥＬディスプレイ等のフラットパネルディスプレイにより構成されている。なお、後述するように、表示パネル１０６は、実際にはカメラ外部に露出しておらず、保護部材としての保護パネル１１２で覆われている。
【００１４】
１０７はレリーズボタンであり、第１段の押下ストロークでＯＮする第１スイッチと、第２段の押下ストロークでＯＮする第２スイッチとに連結されている。第１スイッチのＯＮで測光、フォーカス制御等の撮影準備動作が行われ、第２スイッチのＯＮで本露光による撮影が実行される。１０８はズームレバーであり、倍率を調節するために利用される。このズームレバー１０８は、レリーズボタン１０７を中心にして回動可能となっている。１０９はカメラ本体の電源のＯＮ／ＯＦＦを行うためのパワーボタンである。１１０は操作部材であり、時計／反時計回りに回動可能であり、且つ上下左右４箇所に対し押し込み操作が可能なダイヤルと、その周囲に配されたボタンを有している。
【００１５】
図２は、デジタルカメラ１００の分解斜視図であり、底面側から見たものである。図２に示すように、後カバー１０５には、保護窓１０５Ａが形成され、保護パネル１１２の外周部には、フランジ部１１２Ａ，１１２Ｂ，１１２Ｃ，１１２Ｄが形成されている。
【００１６】
保護パネル１１２は、これらフランジ部１１２Ａ〜１１２Ｄにおいて、両面接着テープ等の粘着体１１３（図７（Ｂ）参照）によって後カバー１０５の保護窓１０５Ａの窓枠に固定される。表示パネル１０６は、保持部材としてのメインフレーム２０１のベース面２０１Ｇに載置される。この際、表示パネル１０６は、メインフレーム２０１のベース面２０１Ｇと直交する方向に形成された壁部２０１Ａ，２０１Ｂ，２０１Ｃにより、表示面方向への移動が規制される。
【００１７】
以下、表示パネル１０６の保持機構を図３〜図８に基づいて詳細に説明する。
【００１８】
図７（Ａ）、図７（Ｂ）に示すように、保護パネル１１２のフランジ部１１２Ａ〜１１２Ｄと表示パネル１０６との間には、弾性体１１４が介挿されている。この弾性体１１４により、表示パネル１０６の表示面への塵埃の侵入が防止されると共に、表示パネル１０６がメインフレーム２０１に電気的に接続されて接地状態となる。
【００１９】
図３に示すように、メインフレーム２０１の壁部２０１Ａ、２０１Ｂは表示パネル１０６の向かい合う２辺に対応する位置にぞれぞれ形成される。メインフレーム２０１の壁部２０１Ａ、２０１Ｂ、２０１Ｃの壁面には、半球状の複数の突起部２０１Ｈが形成されている。また、メインフレーム２０１のベース面２０１Ｇには、表示パネル１０６をメインフレーム２０１に保持したときに、表示パネル１０６の背面と当接して表示面と直交する方向における配置位置を決める位置決め突起２０１Ｉが形成されている。
【００２０】
壁部２０１Ａ、２０１Ｂ、２０１Ｃに囲まれる領域に表示パネル１０６を保持する際には、表示パネル１０６の背面が位置決め突起２０１Ｉに当接するまで表示パネル１０６を押し込む。この場合、突起部２０１Ｈが表示パネル１０６の側面を押し込む力に抗して、表示パネル１０６を壁部２０１Ａ、２０１Ｂ、２０１Ｃに囲まれる領域内に押し込む。これにより、表示パネル１０６は、壁部２０１Ａ、２０１Ｂ、２０１Ｃのに囲まれる領域に保持されることとなる。
【００２１】
さらに、メインフレーム２０１の壁部２０１Ａの上面には、２つの凸部２０１Ａ１および２０１Ａ２が形成されている第２の部分と、凸部２０１Ａ１および２０１Ａ２が形成されていない第１の部分がある。壁部２０１Ａに対向する壁部２０１Ｂの上面には、同様に、２つの凸部２０１Ｂ１および２０１Ｂ２が形成されている第２の部分と、凸部２０１Ｂ１および２０１Ｂ２が形成されていない第１の部分がある。一方、保護パネル１１２には、図５（Ｂ）、図６（Ｂ）に示すように、保護パネル１１２の互いに対向する２辺に切欠き部１１２Ｅａ，１１２Ｅｂが形成されている。
【００２２】
そして、凸部２０１Ａ１及び２０１Ａ２が切欠き部１１２Ｅａに嵌り込み、凸部２０１Ｂ１及び２０１Ｂ２が切欠き部１１２Ｅｂに嵌まり込むことで、保護パネル１１２は、メインフレーム２０１の壁部２０１Ａおよび壁部２０１Ｂに挟持される。
【００２３】
後述するように、メインフレーム２０１の壁部２０１Ａ、２０１Ｂ、２０１Ｃの凸部２０１Ａ１，２０１Ａ２，２０１Ｂ１，２０１Ｂ２は、それぞれ保護パネル１１２の切欠き部１１２Ｅａ，１１２Ｅｂに嵌り込んでいる。したがって、表示パネル１０６に向けて押す方向の外力が後カバー１０５に与えられたときに、保護パネル１１２と当接することなく後カバー１０５と当接可能である。また、メインフレーム２０１の壁部２０１Ａ、２０１Ｂ、２０１Ｃの凸部２０１Ａ１，２０１Ａ２，２０１Ｂ１，２０１Ｂ２以外の部分は、保護パネルに押し込まれる外力が与えられたときに、保護パネル１１２と当接可能である。
【００２４】
このように、凸部２０１Ａ１及び２０１Ａ２が切欠き部１１２Ｅａに嵌り込み、凸部２０１Ｂ１及び２０１Ｂ２が切欠き部１１２Ｅｂに嵌り込んでいる。これにより、表示パネル１０６に向けて押す方向の外力が保護パネル１１２に与えられたとしても、メインフレーム２０１に対する保護パネル１１２の位置ずれを防止し、保護パネル１１２がメインフレーム２０１から脱落するのを抑制することができる。この抑制機能は、本実施の形態のように、メインフレーム２０１の壁部２０１Ａ，２０１Ｂ，２０１Ｃの真上に後カバー１０５の湾曲部が存在することにより、保護パネル１１２のフランジの幅を大きく確保できない場合に、特に有用である。
【００２５】
また、図８（Ａ）、図８（Ｂ）に示すように、図４のＹ−Ｙ断面においては、メインフレーム２０１の壁部２０１Ｂの上面２０１ＢＵ、すなわち、凸部２０１Ｂ１の先端は、保護パネル１１２を介することなく、後カバー１０５に直接当接可能である。なお、凸部２０１Ｂ２の先端も、保護パネル１１２を介することなく、後カバー１０５に直接当接可能である。
【００２６】
また、図８（Ａ）、図８（Ｃ）に示すように、図４のＹ−Ｙ断面においては、メインフレーム２０１の壁部２０１Ａの上面２０１ＡＵ（凸部２０１Ａ１，２０１Ａ２以外の部分：第１の部分）は、保護パネル１１２に当接可能である。同様に、図７（Ａ），図７（Ｂ）に示すように、図４のＸ−Ｘ断面においては、メインフレーム２０１の壁部２０１Ｃの上面２０１ＣＵも、保護パネル１１２に当接可能である。
【００２７】
要するに、表示パネル１０６に向けて押す方向の外力が後カバー１０５に与えられたときに、メインフレーム２０１の壁部２０１Ｂの上面２０１ＢＵは、凸部２０１Ｂ１，２０１Ｂ２では保護パネル１１２を介することなく、後カバー１０５に直接当接する。凸部２０１Ｂ１，２０１Ｂ２以外の部分（第１の部分）では、保護パネル１１２に当接する。
【００２８】
同様に、表示パネル１０６に向けて押す方向の外力が後カバー１０５に与えられたときに、メインフレーム２０１の壁部２０１Ａの上面２０１ＡＵは、凸部２０１Ａ１，２０１Ａ２では保護パネル１１２を介することなく、後カバー１０５に直接当接する。凸部２０１Ａ１，２０１Ａ２以外の部分（第１の部分）では、保護パネル１１２に当接する。
【００２９】
また、表示パネル１０６に向けて押す方向の外力が後カバー１０５に与えられたときに、メインフレーム２０１の壁部２０１Ｃには、凸部が形成されていないので、壁部２０１Ｃの上面２０１ＣＵは、全ての部分で保護パネル１１２に当接する。
【００３０】
従って、表示パネル１０６に向けて押す方向の外力が後カバー１０５に与えられた場合、その力は、メインフレーム２０１の壁部２０１Ａ，２０１Ｂの凸部２２０１Ａ１，２０１２０Ａ２，２０１Ｂ１，２０１Ｂ２で受け止めらる。これにより、表示パネル１０６に与えられる力が小さくなり、表示パネル１０の破損を防止することが可能となる。
【００３１】
また、表示パネル１０６に向けて押す方向の外力が保護パネル１１２に与えられた場合、その力は、メインフレーム２０１の壁部２０１Ａ，２０１Ｂの凸部以外の部分、及び壁部２０１Ｃで受け止められ、表示パネル１０６に与えられる力が小さくなる。これにより、表示パネル１０の破損を防止することが可能となる。
【００３２】
このように、本実施の形態では、後カバー１０５、保護パネル１１２の何れに表示パネル１０６に向けて押す方向の外力が与えられたとしても、その力は、メインフレーム２０１で受け止めることができ、表示パネル１０６の破損を防止することができる。
【００３３】
［第２の実施の形態］
第１の実施の形態では、メインフレームの壁部２０１Ａ，２０１Ｂの凸部２０１Ａ１，２０１Ａ２，２０１Ｂ１，２０１Ｂ２は、後カバー１０５に対して真っ直ぐに延びていた。これに対し、第２の実施の形態では、凸部２０１Ａ１，２０１Ａ２，２０１Ｂ１，２０１Ｂ２を後カバー１０５に対して真っ直ぐに延ばさずに、表示パネル１０６、及び保護パネル１１２に向けて折り曲げている。例えば、壁部２０１Ｂの凸部２０１Ｂ１においては、図９に示したように、その凸部２０１Ｂ１を表示パネル１０６、及び保護パネル１１２の方向に折り曲げており、凸部２０１Ｂ１は折曲げ部となっている。
【００３４】
これにより、凸部２０１Ａ１，２０１Ａ２，２０１Ｂ１，２０１Ｂ２の近傍で、表示パネル１０６に向けて押す方向の外力が後カバー１０５に与えられたとしても、この力は、保護パネル１１２を挟持する方向に強く作用し、その挟持力が高まることとなる。換言すれば、メインフレーム２０１からの保護パネル１１２の脱落防止機能を向上させることが可能となる。
【符号の説明】
【００３５】
１０５…後カバー
１０６…表示パネル
１１２…保護パネル
１１２Ａ，１１２Ｂ，１１２Ｃ，１１２Ｄ…フランジ部
２０１…メインフレーム
２０１Ａ，２０１Ｂ，２０１Ｃ…壁部
２０１Ａ１，２０１Ａ２、２０１Ｂ１，２０１Ｂ２…凸部
【図１】
2011022382.tif 000003
【図２】
2011022382.tif 000004
【図３】
2011022382.tif 000005
【図４】
2011022382.tif 000006
【図５】
2011022382.tif 000007
【図６】
2011022382.tif 000008
【図７】
2011022382.tif 000009
【図８】
2011022382.tif 000010
【図９】
2011022382.tif 000011